(57)【要約】    【課題】ブレードレバーから外すことなく、滑らかな摺動面を有して、確実に汚れを拭くことが出来るワイパーブレードを再生し得るワイパーブレード再生用カッターの提供。    【解決手段】ワイパーブレード再生用カッター１は、カッター本体２と刃部保持部３とからなる。カッター本体２と刃部保持部３とは、刃部保持部３の刃部３１の高さ位置を決めて歯合される。ワイパーブレード４の揺動部４３を挟持部２１、２２により挟持した状態で、カッター本体２が摺動部４１、支持部４２及び揺動部４３の長手方向に沿って移動させられることにより、刃部３１によって摺動部４１の先端部が切断される。これにより滑らかな摺動面を有するワイパーブレード４が得られる。【選択図】図３
2006174980.tif 000002
【特許請求の範囲】
【請求項１】
乗り物のガラス面を摺動するワイパーブレードの摺動部、該摺動部を支持する支持部、及びこれらを揺動させる揺動部を挟持するための挟持部と、
該挟持部が上記揺動部を挟持した状態で、カッター本体が上記摺動部、支持部及び揺動部の長手方向に沿って移動すべく設けられている貫通孔と、
上記カッター本体の移動に従い、上記摺動部の先端部をその長手方向に切断するための刃部と、
該刃部を保持する刃部保持部と
を備えるワイパーブレード再生用カッター。
【請求項２】
上記刃部の先端部が、Ｖ字形状の切欠部を有する請求項１に記載のワイパーブレード再生用カッター。
【請求項３】
上記刃部保持部が、上記カッター本体に対して着脱自在であり、上記刃部保持部の上記カッター本体への取付け位置を変更することで、上記刃部の高さ位置が変更出来るように構成されている請求項１又は２に記載のワイパーブレード再生用カッター。
【発明の詳細な説明】
【技術分野】
【０００１】
本発明は、自動車、船舶、航空機等の乗り物のガラス面を清浄するワイパーのワイパーブレードを再生するために使用されるワイパーブレード再生用カッターに関する。
【背景技術】
【０００２】
自動車、船舶、航空機等の乗り物のワイパーのブレードには、合成ゴムが広く用いられている。しかし、合成ゴム製のワイパーブレードは、乗り物のガラス面を摺動して清浄するときに、摺動部が欠けやすいという問題があった。この摺動部が欠けたワイパーブレードを使用した場合、ガラス面に、雨水及び汚れの拭き残しが筋となって表れることになり、安全面で問題があるので、ワイパーブレードを交換する必要があった。この交換は費用がかさみ、取り付け作業が煩雑であったので、ワイパーブレードを研削して再生するワイパーブレード再生機の発明が、特開平６−３４４２５３号に開示されている。このワイパーブレード再生機は、自動車のガラス面を摺動する摺動部を支持する支持部を挟持する挟持部と、上記摺動部を研削する研削部とを備えるものである。
【特許文献１】特開平６−３４４２５３号公報
【発明の開示】
【発明が解決しようとする課題】
【０００３】
しかし、このワイパーブレード再生機においては、ワイパーブレードをブレードレバーから外して、再生機にセットする必要があり、作業が煩雑であるという問題があり、また、研削するので、ワイパーブレードの摺動面が粗くなり、雨水及び汚れの拭き残しが出やすいという問題があった。
【０００４】
本発明の目的は、ブレードレバーから外すことなく、滑らかな摺動面を有して、確実に雨水及び汚れを拭くことが出来るワイパーブレードを再生し得るワイパーブレード再生用カッターの提供にある。
【課題を解決するための手段】
【０００５】
本発明に係るワイパーブレード再生用カッターは、
（１）乗り物のガラス面を摺動するワイパーブレードの摺動部、該摺動部を支持する支持部、及びこれらを揺動させる揺動部を挟持するための挟持部、
（２）挟持部が揺動部を挟持した状態で、カッター本体が摺動部、支持部及び揺動部の長手方向に沿って移動すべく設けられた貫通孔、
（３）カッター本体の移動に従い、摺動部の先端部をその長手方向に切断するための刃部及び
（４）刃部を保持する刃部保持部
を備える。
【０００６】
好ましくは、このワイパーブレード再生用カッターにおいては、刃部の先端部が、Ｖ字形状の切欠部を有する。
【０００７】
好ましくは、このワイパーブレード再生用カッターは、上記刃部保持部が、上記カッター本体に対して着脱自在であり、上記刃部保持部の上記カッター本体への取付け位置を変更することで、上記刃部の高さ位置が変更出来るように構成されている。
【発明の効果】
【０００８】
このワイパーブレード再生用カッターにおいては、ワイパーブレードがブレードレバーに装着された状態で、摺動部の先端部が確実に切り落とされるので、滑らかな摺動面を有して、確実に雨水及び汚れを拭くことが出来るワイパーブレードが容易に得られる。刃部の先端部が、Ｖ字形状の切欠部を有する場合においては、さらに滑らかな摺動面が得られる。また、刃部保持部のカッター本体への取付け位置を変更することで、刃部の高さ位置が変更出来るように構成されている場合においては、複数回、ワイパーブレードの再生を行うことが可能である。
【発明を実施するための最良の形態】
【０００９】
以下、適宜図面が参照されつつ、好ましい実施形態に基づいて本発明が詳細に説明される。
【００１０】
図１は、本発明の一実施形態に係るワイパーブレード再生用カッター１がワイパーブレード４の長手方向に移動され、摺動部４１の先端部が切断されつつある状態が示された斜視図であり、図中、矢印はワイパーブレード再生用カッター１の移動方向を示す。図２は、図１のワイパーブレード再生用カッター１及びワイパーブレード４が示された拡大縦断面図である。そして、図３は、ワイパーブレード再生用カッター１が示された斜視図、図４（ａ）はワイパーブレード再生用カッター１が示された平面図、図４（ｂ）は側面図である。
【００１１】
このワイパーブレード再生用カッター１は、自動車のガラス面を摺動する、ワイパーブレード４の摺動部４１の先端部を切り落として滑らかな摺動面を得るためのカッターであり、カッター本体２が、ワイパーブレード４の長手方向に沿って移動させられることにより、カッター本体２の後端側に設けられた刃部３１が、摺動部４１の先端部を切断するように構成されている。
【００１２】
図１に示されるように、ワイパーブレード４は、自動車のガラス面に沿ってワイパーブレード４を摺動させるスプリング等からなるレバーヨークを備えたブレ−ドレバー５に係止されている。ワイパーブレード４は、ガラス面を摺動する前述の摺動部４１と、摺動部４１を支持する支持部４２と、それ自体が揺動することにより摺動部４１及び支持部４２が揺動される揺動部４３とを備えている。
【００１３】
ワイパーブレ−ド再生用カッター１は、カッター本体２及び刃部保持部３を備える。カッター本体２は、直方体状で、先端部が斜めに切り落とされた形状を有している。
【００１４】
カッター本体２は、挟持部２１、２２、貫通孔２３、ネジ孔２４及び歯合部２５を備える。挟持部２１、２２は、ワイパーブレード４の揺動部４３を挟持する。図２、図３に示されるように、貫通孔２３は、挟持部２１、２２が揺動部４３を挟持した状態で、カッター本体２が摺動部４１、支持部４２及び揺動部４３の長手方向に沿って移動することが出来るように、摺動部４１、支持部４２及び揺動部４３の形状に対応させて設けられている。ネジ孔２４は、刃部保持部３をカッター本体２に、ネジ止めにより取り付けるために設けられている。歯合部２５は、カッター本体２の後端面の縦方向に並設された複数の丸溝からなり、刃部保持部３の先端面と歯合されるように構成されている。そして、貫通孔２３の摺動部４１の側面と対向する面には、摺動部４１に当接させてこれを保持するための当接部２３ａ、２３ａ・・・が縦方向に筋状に並設されている。
【００１５】
図３に示されるように、刃部保持部３は、前述の刃部３１、ネジ留め孔３２、揺動部挿通孔３３及び歯合部３４を備える。刃部３１は、刃部保持部３の後端面の幅方向にその長手方向を一致させて突設されており、カッター本体２が摺動部４１、支持部４２及び揺動部４３の長手方向に沿って移動するのに従って、摺動部４１の先端部を切断する。ネジ留め孔３２は、ネジ６を刃部保持部３に貫通させてネジ頭６１及びネジ頭固定リング６２を留めるために設けられている。揺動部挿通孔３３には、ワイパーブレード４の支持部４２及び揺動部４３が挿通される。歯合部３４は、刃部保持部３の先端面の縦方向に並設された丸溝からなり、カッター本体２の歯合部２５と歯合されるように構成されている。刃部３１は、先端部にＶ字形状の切欠部３１ａを有する。
【００１６】
カッター本体２の歯合部２５と刃部保持部３の歯合部３４とが歯合され、ネジ６がネジ留め孔３２及びネジ孔２４に挿通されて止められることにより、刃部保持部３がカッター本体２に取り付けられる。図４（ｂ）に示されるように、カッター本体２の側面の歯合部２５側には、３本の線が付された位置変更部２６が設けられており、刃部保持部３の側面の歯合部３４側に設けられた位置合わせ線３５を、位置変更部２６の何れかの線に合わせた状態で、刃部保持部３をカッター本体２に取り付けることで、刃部３１の高さ位置が変更出来るように構成されている。
【００１７】
このワイパーブレード再生用カッター１は、次のようにして使用される。まず、作業者は、刃部保持部３の位置合わせ線３５をカッター本体２の位置変更部２６の何れかの線に合わせた状態で、刃部保持部３をカッター本体２に歯合させ、ネジ６をネジ留め孔３２及びネジ孔２４に挿通させて止めて、刃部保持部３をカッター本体２に取り付ける。ワイパーブレード４につき１回目の再生を行う場合、位置合わせ線３５を位置変更部２６の最上の「１」の線に合わせて刃部保持部３をカッター本体２に取り付ける。２回目の再生の場合、位置合わせ線３５を位置変更部２６の「２」の線に合わせた状態で、３回目の再生の場合、位置合わせ線３５を位置変更部２６の「３」の線に合わせた状態で、刃部保持部３をカッター本体２に取り付ける。
【００１８】
次に、ブレ−ドレバー５を引き起こして裏返す。そして、ブレ−ドレバー５の車体取付側から、ワイパーブレード再生用カッター１を、ワイパーブレード４の揺動部４３を挟持部２１、２２により挟持し、摺動部４１、支持部４２を貫通孔２３に挿通させた状態で、ワイパーブレード４に取り付ける。
【００１９】
この状態で、ワイパーブレード再生用カッター１を、ワイパーブレード４の車体取付側から先端側まで、摺動部４１、支持部４２及び揺動部４３の長手方向に沿って移動させる。この移動に従い、ワイパーブレード４の摺動部４１の先端部に、刃部保持部３の刃部３１が連続的に突き当たって、上記先端部の刃部３１より上側の部分が確実に切り落とされ、ワイパーブレード４は、新たに、滑らかな摺動面を有することになる。上記実施の形態においては、刃部３１がＶ字形の切欠部３１ａを有するので、摺動部４１の先端部は鋭利に切り落とされる。従って、本ワイパーブレード再生用カッター１によれば、ワイパーブレード４をブレ−ドレバーから外すことなく、滑らかな摺動面を有して確実に雨水及び汚れを拭くことが出来るワイパーブレード４が容易に得られる。
【００２０】
そして、刃部保持部３の位置合わせ線３５を合わせる、カッター本体２の位置変更部２６の線を変更することで、複数回、ワイパーブレード４の再生を行うことが可能である。  
【００２１】
上記実施の形態においては、カッター本体２の位置変更部２６の線を選択し、これに刃部保持部３の位置合わせ線３５を合わせて、カッター本体２と刃部保持部３とを歯合させ、刃部３１の高さ位置を変更する場合につき説明しているが、刃部３１の高さ位置の変更方法はこれに限定されるものではない。そして、刃部保持部３は、カッター本体２の後端側に配する場合に限定されるものではない。また、歯合部２５及び３４も丸溝に限定されるものではなく、Ｖ溝等であってもよく、位置合わせ線３５の本数も３本に限定されるものではない。
【産業上の利用可能性】
【００２２】
本発明は、自動車、船舶、航空機等の乗り物のガラス面を清浄するワイパーのワイパーブレードを再生するために適用され得る。
【図面の簡単な説明】
【００２３】
【図１】図１は、本発明の一実施形態に係るワイパーブレード再生用カッターがワイパーブレードの長手方向に移動され、摺動部の先端部が切断されつつある状態が示された斜視図である。
【図２】図２は、図１のワイパーブレード再生用カッター及びワイパーブレードが示された拡大縦断面図である。
【図３】図３は、本発明の一実施形態に係るワイパーブレード再生用カッターが示された斜視図である。
【図４】図４（ａ）は、本発明の一実施形態に係るワイパーブレード再生用カッターが示された平面図、図４（ｂ）は、側面図である。
【符号の説明】
【００２４】
１・・・ワイパーブレード再生用カッター
２・・・カッター本体
２１、２２・・・挟持部
２３・・・貫通孔
２４・・・ネジ孔
２５・・・歯合部
３・・・刃部保持部
３１・・・刃部
３２・・・ネジ留め孔
３３・・・揺動部挿通孔
３４・・・歯合部
４・・・ワイパーブレード
４１・・・摺動部
４２・・・支持部
４３・・・揺動部
５・・・ブレードレバー
【図１】
2006174980.tif 000003
【図２】
2006174980.tif 000004
【図３】
2006174980.tif 000005
【図４】
2006174980.tif 000006